(57)【要約】      （修正有）【課題】コストアップの要因となる金属蒸着を省略したレンズ体、光源の熱によるレンズ体融解や光源出力低下を抑制できるレンズ体、及びこれを用いた車両用灯具を提供する。【解決手段】第１基準軸ＡＸ１に沿って延びた形状のレンズ体１２において、レンズ体の後端部に形成された入射面１２ａ、入射面の下端縁から前方に向かって延びる反射面１２ｂ、反射面の先端部に形成されたシェード１２ｃ、及び出射面１２ｄが第１基準軸ＡＸ１に沿ってこの順に配置されており、入射面１２ａからレンズ体１２内部に入射した光源１４の光が、光源１４の中心とシェード１２ｃ近傍の点とを通過し、第１基準軸ＡＸ１に対して前方斜め下方に向かって傾斜した第２基準軸ＡＸ２寄りに集光するように構成されており、出射面１２ｄはシェード１２ｃ近傍に焦点が設定されたレンズ部として構成されている。【選択図】図１
2015176745.tif 000002
【特許請求の範囲】
【請求項１】
水平方向に延びる第１基準軸に沿って延びた形状のレンズ体において、
前記レンズ体は、入射面、反射面、シェード及び出射面を含み、
前記入射面、前記反射面、前記シェード及び前記出射面は、前記第１基準軸に沿ってこの順に配置されており、
前記入射面は、前記レンズ体の後端部に形成され、当該入射面近傍に配置される光源からの光が屈折して前記レンズ体内部に入射する面で、前記レンズ体内部に入射した前記光源からの光が、少なくとも鉛直方向に関し、前記光源の中心と前記シェード近傍の点とを通過し、前記第１基準軸に対して前方斜め下方に向かって傾斜した第２基準軸寄りに集光するように構成されており、
前記反射面は、前記入射面の下端縁から前方に向かって延びており、
前記シェードは、前記反射面の先端部に形成されており、
前記出射面は、前記レンズ体内部に入射した前記光源からの光のうち前記出射面に向かって進行する直射光及び前記反射面で内面反射された後、前記出射面に向かって進行する反射光が出射する面で、前記シェード近傍に焦点が設定されたレンズ部として構成されているレンズ体。
【請求項２】
前記反射面は、前記入射面の下端縁から前記第１基準軸に対して前方斜め下方に向かって傾斜した反射面である請求項１に記載のレンズ体。
【請求項３】
水平方向に延びる第１基準軸に沿って延びた形状のレンズ体と、光源と、を備えた車両用灯具において、
前記レンズ体は、入射面、反射面、シェード及び出射面を含み、
前記光源は、前記入射面近傍に配置されており、
前記入射面、前記反射面、前記シェード及び前記出射面は、前記第１基準軸に沿ってこの順に配置されており、
前記入射面は、前記レンズ体の後端部に形成され、当該入射面近傍に配置される光源からの光が屈折して前記レンズ体内部に入射する面で、前記レンズ体内部に入射した前記光源からの光が、少なくとも鉛直方向に関し、前記光源の中心と前記シェード近傍の点とを通過し、前記第１基準軸に対して前方斜め下方に向かって傾斜した第２基準軸寄りに集光するように構成されており、
前記反射面は、前記入射面の下端縁から前方に向かって延びており、
前記シェードは、前記反射面の先端部に形成されており、
前記出射面は、前記レンズ体内部に入射した前記光源からの光のうち前記出射面に向かって進行する直射光及び前記反射面で内面反射された後、前記出射面に向かって進行する反射光が出射する面で、前記シェード近傍に焦点が設定されたレンズ部として構成されている車両用灯具。
【請求項４】
前記反射面は、前記入射面の下端縁から前記第１基準軸に対して前方斜め下方に向かって傾斜した反射面である請求項３に記載の車両用灯具。
【請求項５】
前記光源は、当該光源の光軸が前記第２基準軸に一致した姿勢で前記入射面近傍に配置されている請求項３又は４に記載の車両用灯具。
【発明の詳細な説明】
【技術分野】
【０００１】
本発明は、レンズ体及び車両用灯具に係り、特に、光源と組み合わせて用いられるレンズ体及びこれを用いた車両用灯具に関する。
【背景技術】
【０００２】
従来、光源とレンズ体とを組み合わせた構造の車両用灯具が提案されている（例えば、特許文献１参照）。
【０００３】
図１６は、特許文献１に記載の車両用灯具２００の縦断面図である。
【０００４】
図１６に示すように、特許文献１に記載の車両用灯具２００は、半導体発光素子を有する光源２１０、レンズ体２２０を備えており、レンズ体２２０表面には、発光面を上向きにした姿勢の光源２１０を上方から覆う半球形状の入射面２２１、入射面２２１からレンズ体２２０内部に入射する光源２１０からの光の進行方向に配置された第１反射面２２２（金属蒸着による反射面）、第１反射面２２２の下端縁から前方に向かって延びる第２反射面２２３（金属蒸着による反射面）、凸レンズ面２２４等が形成されている。
【先行技術文献】
【特許文献】
【０００５】
【特許文献１】特開２００５−２２８５０２号公報
【発明の概要】
【発明が解決しようとする課題】
【０００６】
しかしながら、上記構成の車両用灯具２００においては、レンズ体２２０内部に入射した光源２１０からの光を制御するために金属蒸着による反射面２２２、２２３を用いているため、コストアップを招くという問題がある。
【０００７】
また、上記構成の車両用灯具２００においては、光源２１０が半球形状の入射面２２１で上方から覆われており、光源２１０で発生した熱を上方に逃がすことができないため、当該熱に起因して、レンズ体２２０が融解したり、光源２１０出力が大幅に低下するという問題がある。
【０００８】
本発明は、このような事情に鑑みてなされたものであり、第１に、コストアップの要因となる金属蒸着による反射面を省略したレンズ体及びこれを用いた車両用灯具を提供することを目的とする。第２に、光源で発生した熱に起因して、レンズ体が融解したり、光源出力が低下するのを抑制することができるレンズ体及びこれを用いた車両用灯具を提供することを目的とする。
【課題を解決するための手段】
【０００９】
上記目的を達成するため、請求項１に記載の発明は、水平方向に延びる第１基準軸に沿って延びた形状のレンズ体において、前記レンズ体は、入射面、反射面、シェード及び出射面を含み、前記入射面、前記反射面、前記シェード及び前記出射面は、前記第１基準軸に沿ってこの順に配置されており、前記入射面は、前記レンズ体の後端部に形成され、当該入射面近傍に配置される光源からの光が屈折して前記レンズ体内部に入射する面で、前記レンズ体内部に入射した前記光源からの光が、少なくとも鉛直方向に関し、前記光源の中心と前記シェード近傍の点とを通過し、前記第１基準軸に対して前方斜め下方に向かって傾斜した第２基準軸寄りに集光するように構成されており、前記反射面は、前記入射面の下端縁から前方に向かって延びており、前記シェードは、前記反射面の先端部に形成されており、前記出射面は、前記レンズ体内部に入射した前記光源からの光のうち前記出射面に向かって進行する直射光及び前記反射面で内面反射された後、前記出射面に向かって進行する反射光が出射する面で、前記シェード近傍に焦点が設定されたレンズ部として構成されていることを特徴とする。
【００１０】
請求項１に記載の発明によれば、第１に、コストアップの要因となる金属蒸着による反射面を省略したレンズ体を提供することができる。第２に、光源で発生した熱に起因して、レンズ体が融解したり、光源出力が低下するのを抑制することができるレンズ体を提供することができる。
【００１１】
コストアップの要因となる金属蒸着による反射面を省略することができるのは、光源からの光が、金属蒸着による反射面ではなく、入射面での屈折及び反射面での内面反射により制御されることによるものである。
【００１２】
光源で発生した熱に起因して、レンズ体が融解したり、光源出力が低下するのを抑制することができるのは、入射面がレンズ体の後端部に形成されており、かつ、光源がレンズ体の外部（すなわち、レンズ体の入射面から離間した位置）に配置されることによるものである。
【００１３】
請求項２に記載の発明は、請求項１に記載の発明において、前記反射面は、前記入射面の下端縁から前記第１基準軸に対して前方斜め下方に向かって傾斜した反射面であることを特徴とする。
【００１４】
請求項２に記載の発明によれば、反射面を入射面の下端縁から前方に向かって水平方向に延びた反射面とする場合（すなわち、反射面を水平方向に配置する場合）と比べ、迷光の減少・高効率化を達成することができる。
【００１５】
請求項３に記載の発明は、水平方向に延びる第１基準軸に沿って延びた形状のレンズ体と、光源と、を備えた車両用灯具において、前記レンズ体は、入射面、反射面、シェード及び出射面を含み、前記光源は、前記入射面近傍に配置されており、前記入射面、前記反射面、前記シェード及び前記出射面は、前記第１基準軸に沿ってこの順に配置されており、前記入射面は、前記レンズ体の後端部に形成され、当該入射面近傍に配置される光源からの光が屈折して前記レンズ体内部に入射する面で、前記レンズ体内部に入射した前記光源からの光が、少なくとも鉛直方向に関し、前記光源の中心と前記シェード近傍の点とを通過し、前記第１基準軸に対して前方斜め下方に向かって傾斜した第２基準軸寄りに集光するように構成されており、前記反射面は、前記入射面の下端縁から前方に向かって延びており、前記シェードは、前記反射面の先端部に形成されており、前記出射面は、前記レンズ体内部に入射した前記光源からの光のうち前記出射面に向かって進行する直射光及び前記反射面で内面反射された後、前記出射面に向かって進行する反射光が出射する面で、前記シェード近傍に焦点が設定されたレンズ部として構成されていることを特徴とする。
【００１６】
請求項３に記載の発明によれば、第１に、コストアップの要因となる金属蒸着による反射面を省略したレンズ体を用いた車両用灯具を提供することができる。第２に、光源で発生した熱に起因して、レンズ体が融解したり、光源出力が低下するのを抑制することができるレンズ体を用いた車両用灯具を提供することができる。
【００１７】
コストアップの要因となる金属蒸着による反射面を省略することができるのは、光源からの光が、金属蒸着による反射面ではなく、入射面での屈折及び反射面での内面反射により制御されることによるものである。
【００１８】
光源で発生した熱に起因して、レンズ体が融解したり、光源出力が低下するのを抑制することができるのは、入射面がレンズ体の後端部に形成されており、かつ、光源がレンズ体の外部（すなわち、レンズ体の入射面から離間した位置）に配置されることによるものである。
【００１９】
請求項４に記載の発明は、請求項３に記載の発明において、前記反射面は、前記入射面の下端縁から前記第１基準軸に対して前方斜め下方に向かって傾斜した反射面であることを特徴とする。
【００２０】
請求項４に記載の発明によれば、反射面を入射面の下端縁から前方に向かって水平方向に延びた反射面とする場合（すなわち、反射面を水平方向に配置する場合）と比べ、迷光の減少・高効率化を達成することができる。
【００２１】
請求項５に記載の発明は、請求項３又は４に記載の発明において、前記光源は、当該光源の光軸が前記第２基準軸に一致した姿勢で前記入射面近傍に配置されていることを特徴とする。
【００２２】
請求項５に記載の発明によれば、中心光度が相対的に高い遠方視認性に優れたロービーム用配光パターンを形成することができる。
【発明の効果】
【００２３】
本発明によれば、第１に、コストアップの要因となる金属蒸着による反射面を省略したレンズ体及びこれを用いた車両用灯具を提供することが可能となる。第２に、光源で発生した熱に起因して、レンズ体が融解したり、光源出力が低下するのを抑制することができるレンズ体及びこれを用いた車両用灯具を提供することが可能となる。
【図面の簡単な説明】
【００２４】
【図１】本発明の第１実施形態である車両用灯具１０の縦断面図である。
【図２】（ａ）前方から見たレンズ体１２の斜視図、（ｂ）後方から見たレンズ体１２の斜視図である。
【図３】（ａ）レンズ体１２の上面図、（ｂ）下面図、（ｃ）側面図である。
【図４】（ａ）光源１４（正確には、基準点Ｆ）からの光が入射面１２ａに入射する様子を表す図、（ｂ）レンズ体１２内部に入射した光源１４からの光（直射光ＲａｙＡ）が集光する様子を表す図である。
【図５】入射面１２ａの一例（横断面図）である。
【図６】入射面１２ａの他の一例（横断面図）である。
【図７】（ａ）（ｂ）入射面１２ａと光源１４との間の距離について説明するための図である。
【図８】シェード１２ｃの役割を説明するための図である。
【図９】（ａ）光源１４位置から見たシェード１２ｃの概略図、（ｂ）図２（ａ）に示した反射面１２ｂ（シェード１２ｃを含む）を拡大した拡大斜視図、（ｃ）図２（ａ）に示した反射面１２ｂ（シェード１２ｃを含む）の上面図である。
【図１０】（ａ）〜（ｃ）シェード１２ｃの変形例（側面図）である。
【図１１】（ａ）本実施形態の車両用灯具１０により、車両前面に正対した仮想鉛直スクリーン（車両前面から約２５ｍ前方に配置されている）上に形成されるロービーム用配光パターンＰ１の例、（ｂ）ロービーム用配光パターンＰ２の例、（ｃ）ロービーム用配光パターンＰ３の例である。
【図１２】各断面Ｃｓ１〜Ｃｓ４における光源１４からの光による光源像ＩＣｓ１〜ＩＣｓ４を説明するための図である。
【図１３】（ａ）反射面１２ｂを水平方向に配置した場合、反射面１２ｂで内面反射された反射光ＲａｙＢ´が出射面１２ｄに入射しない方向に進行する様子を描いた図、（ｂ）反射面１２ｂを第１基準軸ＡＸ１に対して傾けて配置した場合、反射面１２ｂで内面反射された反射光ＲａｙＢが出射面１２ｄに入射する方向に進行する様子を描いた図である。
【図１４】（ａ）反射面１２ｂを水平方向に配置した場合、反射面１２ｂを上方に延ばすことで、出射面１２ｄに入射しない方向に進行する反射光ＲａｙＢ´を取り込むことができる様子を描いた図、（ｂ）反射面１２ｂを第１基準軸ＡＸ１に対して傾けて配置した場合、反射面１２ｂを上方に延ばすことなく、より多くの光（反射面１２ｂで内面反射された反射光ＲａｙＢ）を取り込むことができる様子を描いた図である。
【図１５】（ａ）第２基準軸ＡＸ２を水平方向に配置し、レンズ体１２内部に入射した光源１４からの光を、少なくとも鉛直方向に関し、シェード１２ｃに向かって第２基準軸ＡＸ２寄りに集光させた場合、レンズ体１２内部に入射した光源１４からの光の多くがシェード１２ｃで遮光される様子を描いた図、（ｂ）第２基準軸ＡＸ２を第１基準軸ＡＸ１に対して傾けて配置し、レンズ体１２内部に入射した光源１４からの光を、少なくとも鉛直方向に関し、シェード１２ｃに向かって第２基準軸ＡＸ２寄りに集光させた場合、出射面１２ｄが取り込む光（反射面１２ｂで内面反射された反射光ＲａｙＢ）が増加する様子を描いた図である。
【図１６】特許文献１に記載の車両用灯具２００の縦断面図である。
【発明を実施するための形態】
【００２５】
以下、本発明の第１実施形態である車両用灯具について、図面を参照しながら説明する。
【００２６】
図１は、本発明の第１実施形態である車両用灯具１０の縦断面図である。
【００２７】
図１に示すように、本実施形態の車両用灯具１０は、レンズ体１２、レンズ体１２の入射面１２ａ近傍に配置された光源１４等を備え、車両前面に正対した仮想鉛直スクリーン（車両前面から約２５ｍ前方に配置されている）上に、図１１（ａ）等に示す上端縁にカットオフラインＣＬ１〜ＣＬ３を含むロービーム用配光パターンＰ１等を形成する車両用前照灯として構成されている。
【００２８】
図２（ａ）は前方から見たレンズ体１２の斜視図、図２（ｂ）は後方から見たレンズ体１２の斜視図、図３（ａ）はレンズ体１２の上面図、図３（ｂ）は下面図、図３（ｃ）は側面図である。
【００２９】
図１に示すように、レンズ体１２は、水平方向に延びる第１基準軸ＡＸ１に沿って延びた形状のレンズ体で、入射面１２ａ、反射面１２ｂ、シェード１２ｃ、出射面１２ｄ及び入射面１２ａ近傍に配置された光学設計上の基準点Ｆを含んでいる。入射面１２ａ、反射面１２ｂ、シェード１２ｃ及び出射面１２ｄは、第１基準軸ＡＸ１に沿ってこの順に配置されている。レンズ体１２の材質は、ポリカーボネイトであってもよいし、それ以外のアクリル等の透明樹脂であってもよいし、ガラスであってもよい。
【００３０】
図１中の先端に矢印が付いた点線は、レンズ体１２内部に入射した光源１４（正確には、基準点Ｆ）からの光の光路を表している。
【００３１】
レンズ体１２の主な機能は、第１に、光源１４からの光をレンズ体１２内部に取り込むこと、第２に、レンズ体１２内部に取り込まれた光のうち出射面１２ｄに向かって進行する直射光ＲａｙＡ及び反射面１２ｂで内面反射された反射光ＲａｙＢにより、出射面１２ｄ（レンズ部）の焦点Ｆ１２ｄ近傍に形成される光度分布（光源像）を反転投影して、上端縁にカットオフラインを含むロービーム用配光パターンを形成することである。
【００３２】
図４（ａ）は光源１４（正確には、基準点Ｆ）からの光が入射面１２ａに入射する様子を表す図、図４（ｂ）はレンズ体１２内部に入射した光源１４からの光（直射光ＲａｙＡ）が集光する様子を表す図である。
【００３３】
入射面１２ａは、レンズ体１２の後端部に形成され、当該入射面１２ａ近傍に配置される光源１４（正確には、光学設計上の基準点Ｆ）からの光（図４（ａ）参照）が屈折してレンズ体１２内部に入射する面（例えば、光源１４に向かって凸の自由曲面）で、レンズ体１２内部に入射した光源１４からの光（直射光ＲａｙＡ）が、少なくとも鉛直方向に関し、シェード１２ｃに向かって第２基準軸ＡＸ２寄りに集光するように（図４（ｂ）参照）、その面形状が構成されている。第２基準軸ＡＸ２は、光源１４の中心（正確には、基準点Ｆ）とシェード１２ｃ近傍の点とを通過し、第１基準軸ＡＸ１に対して前方斜め下方に向かって傾斜している（図１参照）。
【００３４】
光源１４は、例えば、金属製の基板（図示せず）、当該基板の表面に実装された白色ＬＥＤ光源（又は白色ＬＤ光源）等の半導体発光素子（図示せず）を備えている。半導体発光素子の個数は、１以上であればよい。なお、光源１４は、白色ＬＥＤ光源（又は白色ＬＤ光源）等の半導体発光素子以外の光源であってもよい。光源１４は、その発光面（図示せず）を前方斜め下方に向けた姿勢、すなわち、当該光源１４の光軸ＡＸ１４が第２基準軸ＡＸ２に一致した姿勢でレンズ体１２の入射面１２ａ近傍（基準点Ｆ近傍）に配置されている。なお、光源１４は、当該光源１４の光軸ＡＸ１４が第２基準軸ＡＸ２に一致していない姿勢（例えば、光源１４の光軸ＡＸ１４が水平方向に配置された姿勢）でレンズ体１２の入射面１２ａ近傍（基準点Ｆ近傍）に配置されていてもよい。
【００３５】
光源１４が半導体発光素子（例えば白色ＬＥＤ光源）である場合、当該光源１４（発光面）から放出される光の指向特性はランバーシアンで、Ｉ（θ）＝Ｉ０×cosθで表すことができる。これは、光源１４が放出する光の広がりを表している。但し、Ｉ（θ）は光源１４の光軸ＡＸ１４から角度θ傾いた方向の光度を表し、Ｉ０は光軸ＡＸ１４上の光度を表している。光源１４では、光軸ＡＸ１４上（θ＝０）の光度が最大となる。
【００３６】
図５は入射面１２ａの一例（横断面図）、図６は入射面１２ａの他の一例（横断面図）である。
【００３７】
図５に示すように、入射面１２ａは、水平方向に関し、レンズ体１２内部に入射した光源１４からの光（直射光ＲａｙＡ）が、シェード１２ｃに向かって第１基準軸ＡＸ１寄りに集光するように、その面形状が構成されている。なお、入射面１２ａは、図６に示すように、水平方向に関し、レンズ体１２内部に入射した光源１４からの光（直射光ＲａｙＡ）が、基準軸ＡＸ１に対して平行な光となるように、その面形状が構成されていてもよい。
【００３８】
ロービーム用配光パターンの水平方向の拡散の程度は、入射面１２ａの面形状（例えば、入射面１２ａの水平方向の曲率）を調整することで自在に調整することができる。
【００３９】
図７（ａ）及び図７（ｂ）は、入射面１２ａと光源１４との間の距離について説明するための図である。
【００４０】
入射面１２ａと光源１４との間の距離を短くすることで（図７（ｂ）参照）、入射面１２ａと光源１４との間の距離を長くした場合（図７（ａ）参照）と比べ、光源像が小さくなる。その結果、出射面１２ｄ（レンズ部）の焦点Ｆ１２ｄ近傍に形成される光度分布（及びロービーム用配光パターン）の最大光度をより高くすることができる。
【００４１】
また、入射面１２ａと光源１４との間の距離を短くすることで（図７（ｂ）参照）、入射面１２ａと光源１４との間の距離を長くした場合（図７（ａ）参照）と比べ、レンズ体１２内部に取り込まれる光源１４からの光が増加する（β＞α）。その結果、高効率なレンズ体となる。
【００４２】
反射面１２ｂは、入射面１２ａの下端縁から前方に向かって水平方向に延びた平面形状の反射面である。反射面１２ｂは、レンズ体１２内部に入射した光源１４からの光のうち当該反射面１２ｂに入射した光を全反射する反射面で、金属蒸着は用いていない。レンズ体１２内部に入射した光源１４からの光のうち反射面１２ｂに入射した光は、当該反射面１２ｂで内面反射されて出射面１２ｄに向かい、出射面１２ｄで屈折して路面方向に向かう。すなわち、反射面１２ｂで内面反射された反射光ＲａｙＢがカットオフラインを境に折り返されてカットオフライン以下の配光パターンに重畳される形となる。これにより、ロービーム用配光パターンの上端縁にカットオフラインが形成される。
【００４３】
なお、反射面１２ｂは、入射面１２ａの下端縁から第１基準軸ＡＸ１に対して前方斜め下方に向かって傾斜した平面形状の反射面であってもよい（図１４（ｂ）参照）。このように反射面１２ｂを第１基準軸ＡＸ１に対して傾けて配置することの利点については後述する。
【００４４】
反射面１２ｂの先端部には、左右方向に延びるシェード１２ｃが形成されている。
【００４５】
図８は、シェード１２ｃの役割を説明するための図である。
【００４６】
図８に示すように、シェード１２ｃの主な役割は、レンズ体１２内部に入射した光源１４からの光の一部を遮光し、出射面１２ｄ（レンズ部）の焦点Ｆ１２ｄ近傍に、下端縁にシェード１２ｃによって規定されるカットオフラインに対応する辺を含む光度分布（光源像）を形成することである。
【００４７】
図９（ａ）は光源１４位置から見たシェード１２ｃの概略図、図９（ｂ）は図２（ａ）に示した反射面１２ｂ（シェード１２ｃを含む）を拡大した拡大斜視図、図９（ｃ）は図２（ａ）に示した反射面１２ｂ（シェード１２ｃを含む）の上面図である。
【００４８】
図２（ａ）、図９（ａ）〜図９（ｃ）に示すように、シェード１２ｃは、左水平カットオフラインに対応する辺ｅ１、右水平カットオフラインに対応する辺ｅ２、及び、左水平カットオフラインと右水平カットオフラインとを接続する斜めカットオフラインに対応する辺ｅ３を含んでいる。
【００４９】
反射面１２ｂは、入射面１２ａの下端縁と左水平カットオフラインに対応する辺ｅ１との間の第１反射領域１２ｂ１、入射面１２ａの下端縁と右水平カットオフラインに対応する辺ｅ２との間の第２反射領域１２ｂ２、及び、第１反射領域１２ｂ１と第２反射領域１２ｂ２との間の第３反射領域１２ｂ３を含んでいる。
【００５０】
第１反射領域１２ｂ１は、入射面１２ａの下端縁から左水平カットオフラインに対応する辺ｅ１に近づくに従って徐々に上方に湾曲しており、一方、第２反射領域１２ｂ２は、入射面１２ａの下端縁から前方に向かって水平方向に延びている。
【００５１】
その結果、左水平カットオフラインに対応する辺ｅ１は、鉛直方向に関し、右水平カットオフラインに対応する辺ｅ２より一段高い位置に配置されている（右側通行の場合）。もちろん、左水平カットオフラインに対応する辺ｅ１は、鉛直方向に関し、右水平カットオフラインに対応する辺ｅ２より一段低い位置に配置されていてもよい（左側通行の場合）。
【００５２】
なお、シェード１２ｃは、反射面１２ｂの先端部に、左水平カットオフラインに対応する溝部、右水平カットオフラインに対応する溝部、及び、左水平カットオフラインと右水平カットオフラインとを接続する斜めカットオフラインに対応する溝部を含む溝部を形成することで形成することもできる。
【００５３】
図１０（ａ）〜図１０（ｃ）には、シェード１２ｃの変形例（側面図）が示されている。シェード１２ｃは、側面視において、反射面１２ｂの先端部から上方に向かって延びていてもよいし（図１０（ａ）参照）、前方斜め上方に向かって延びていてもよいし（図１０（ｂ）参照）、前方斜め上方に向かって湾曲して延びていてもよい（図１０（ｃ）参照）。シェード１２ｃは、これらに限らず、レンズ体１２内部に入射する光源１４からの光の一部を、出射面１２ｄに向かって進行しないように遮光する形状であれば如何なる形状であってもよい。なお、遮光された光は、他の配光や導光に用いてもよい。
【００５４】
出射面１２ｄは、図１に示すように、レンズ体１２内部に入射した光源１４からの光のうち出射面１２ｄに向かって進行する直射光ＲａｙＡ及び反射面１２ｂで内面反射された後、出射面１２ｄに向かって進行する反射光ＲａｙＢが出射する面（例えば、前方に向かって凸の凸面）で、シェード１２ｃ近傍（例えば、シェード１２ｃの左右方向の中心近傍）に焦点Ｆ１２ｄが設定されたレンズ部として構成されている。出射面１２ｄは、当該出射面１２ｄに向かって進行する直射光ＲａｙＡ及び反射光ＲａｙＢにより、出射面１２ｄ（レンズ部）の焦点Ｆ１２ｄ近傍に形成される光度分布（光源像）を反転投影して、上端縁にカットオフラインを含むロービーム用配光パターンを形成する。
【００５５】
なお、シェード１２ｃと出射面１２ｄとの間の距離(焦点距離)を長くすることで、シェード１２ｃと出射面１２ｄとの間の距離(焦点距離)を短くした場合と比べ、光源像が小さくなる。その結果、出射面１２ｄ（レンズ部）の焦点Ｆ１２ｄ近傍に形成される光度分布（及びロービーム用配光パターン）の最大光度をより高くすることができる。
【００５６】
また、出射面１２ｄと光源１４（又はシェード１２ｃ）との間の距離を短くすることで、出射面１２ｄと光源１４（又はシェード１２ｃ）との間の距離を長くした場合と比べ、出射面１２ｄに取り込まれる直射光ＲａｙＡ及び反射光Ｂが増加する。その結果、効率が増加する。
【００５７】
なお、ロービーム用配光パターンの水平方向・鉛直方向の拡散の程度は、出射面１２ｄの面形状を調整することで自在に調整することができる。
【００５８】
反射面１２ｂの先端縁と出射面１２ｄの下端縁とを接続する面は、反射面１２ｂの先端縁から前方斜め下方に向けて延びた傾斜面とされている。なお、反射面１２ｂの先端縁と出射面１２ｄの下端縁とを接続する面は、これに限らず、出射面１２ｄに向かって進行する直射光ＲａｙＡ及び反射光ＲａｙＢを遮らない面であれば如何なる面であってもよい。同様に、入射面１２ａの上端縁と出射面１２ｄの上端縁とを接続する面は、入射面１２ａの上端縁と出射面１２ｄの上端縁との間で水平方向に延びた平面形状の面とされている。なお、入射面１２ａの上端縁と出射面１２ｄの上端縁とを接続する面は、これに限らず、出射面１２ｄに向かって進行する直射光ＲａｙＡ及び反射光ＲａｙＢを遮らない面であれば如何なる面であってもよい。
【００５９】
上記構成のレンズ体１２においては、入射面１２ａからレンズ体１２内部に入射した光は、図１に示すように、鉛直方向に関し、シェード１２ｃに向かって第２基準軸ＡＸ２寄りに集光する（例えば、シェード１２ｃの中心に集光する）。そして、入射面１２ａの面形状が図５に示すように構成されている場合、入射面１２ａからレンズ体内部に入射した光は、図５に示すように、水平方向に関し、シェード１２ｃに向かって第１基準軸ＡＸ１寄りに集光する（例えば、シェード１２ｃの中心に集光する）。
【００６０】
以上のように鉛直方向及び水平方向に関し集光する直射光ＲａｙＡ及び反射面１２ｂで内面反射された反射光ＲａｙＢは、出射面１２ｄに向かって進行し、出射面１２ｄから出射する。その際、出射面１２ｄに向かって進行する直射光ＲａｙＡ及び反射光ＲａｙＢにより、出射面１２ｄ（レンズ部）の焦点Ｆ１２ｄ近傍に、下端縁にシェード１２ｃによって規定されるカットオフラインに対応する辺を含む光度分布（光源像）が形成される。そして、出射面１２ｄは、この光度分布を反転投影して、仮想鉛直スクリーン上に、図１１（ａ）に示す上端縁にカットオフラインを含むロービーム用配光パターンＰ１を形成する。
【００６１】
このロービーム用配光パターンＰ１は、中心光度が相対的に高く、遠方視認性に優れたものとなる。これは、光源１４が、当該光源１４の光軸ＡＸ１４が第２基準軸ＡＸ２に一致した姿勢でレンズ体１２の入射面１２ａ近傍（基準点Ｆ近傍）に配置されていること、そして、相対強度（光度）が高い光軸ＡＸ１４上の光（直射光）が、シェード１２ｃに向かって第２基準軸ＡＸ２寄りに集光する（例えば、シェード１２ｃの中心に集光する）ことによるものである。
【００６２】
なお、入射面１２ａ及び／又は出射面１２ｄの面形状（例えば、曲率）を調整することで、図１１（ｂ）に示すように、水平方向に拡散したロービーム用配光パターンＰ２を形成することもできる。
【００６３】
また、第１基準軸ＡＸ１に対する第２基準軸ＡＸ２の傾き（図１に示す角度θ参照）を大きくすることで、ロービーム用配光パターンＰ１、Ｐ２の下端縁を下方に延ばすことができる。
【００６４】
一方、入射面１２ａの面形状が図６に示すように構成されている場合、入射面１２ａからレンズ体１２内部に入射した光は、図６に示すように、水平方向に関し、第１基準軸ＡＸ１に対して平行な光となる。
【００６５】
以上のように鉛直方向に関し集光し、水平方向に関し平行となった直射光ＲａｙＡ及び反射面１２ｂで内面反射された反射光ＲａｙＢは、出射面１２ｄに向かって進行し、出射面１２ｄから出射する。その際、出射面１２ｄに向かって進行する直射光ＲａｙＡ及び反射光ＲａｙＢにより、出射面１２ｄ（レンズ部）の焦点Ｆ１２ｄ近傍に、下端縁にシェード１２ｃによって規定されるカットオフラインＣＬ１〜ＣＬ３に対応する辺を含む光度分布（光源像）が形成される。そして、出射面１２ｄは、この光度分布を反転投影して、仮想鉛直スクリーン上に、図１１（ｃ）に示す上端縁にカットオフラインＣＬ１〜ＣＬ３を含むロービーム用配光パターンＰ３を形成する。図１１（ｃ）に示すロービーム用配光パターンＰ３は、水平方向に関し集光されない分、図１１（ａ）に示すロービーム用配光パターンＰ１より水平方向に関し拡散されたものとなる。
【００６６】
次に、レンズ体１２内部に入射した光源１４からの光による光源像とロービーム用配光パターンとの関係について説明する。
【００６７】
図１２は、各断面Ｃｓ１〜Ｃｓ３における光源１４からの光による光源像を説明するための図である。
【００６８】
図１２に示すように、断面Ｃｓ１、Ｃｓ２における光源像ＩＣｓ１、ＩＣｓ２の外形形状は、光源の外形形状と同様（光源１４の外形形状と相似型で光源像として大きい）のものとなる。
【００６９】
一方、反射面１２ｂやシェード１２ｃを通過した後の断面Ｃｓ３における光源像ＩＣｓ３の外形形状は、下端縁にシェード１２ｃによって規定されるカットオフラインＣＬ１〜ＣＬ３に対応する辺ｅ１、ｅ２、ｅ３を含むものとなる。この光源像ＩＣｓ３は、出射面１２ｄ（レンズ部）の作用により反転して、上端縁にシェード１２ｃによって規定されるカットオフラインＣＬ１〜ＣＬ３に対応する辺ｅ１、ｅ２、ｅ３を含むものとなる。
【００７０】
図１１（ａ）〜図１１（ｃ）に示すロービーム用配光パターンＰ１〜Ｐ３は、この上端縁にシェード１２ｃによって規定されるカットオフラインＣＬ１〜ＣＬ３に対応する辺ｅ１、ｅ２、ｅ３を含む光源像に基づいて形成されるため、上端縁に明瞭なカットオフラインＣＬ１、ＣＬ２、ＣＬ３を含むものとなる。
【００７１】
次に、反射面１２ｂを第１基準軸ＡＸ１に対して傾けて配置することの利点について、反射面１２ｂを水平方向に配置する場合と対比して説明する。
【００７２】
第１の利点は、反射面１２ｂを水平方向に配置する場合と比べ、迷光の減少・高効率化を達成することができる点である。
【００７３】
すなわち、図１３（ａ）に示すように、反射面１２ｂを水平方向に配置した場合、反射面１２ｂで内面反射された反射光ＲａｙＢ´は、出射面１２ｄに入射しない方向に進行する迷光ＲａｙＢ´となる。その結果、効率が低下する。
【００７４】
これに対して、図１３（ｂ）に示すように、反射面１２ｂを第１基準軸ＡＸ１に対して傾けて配置した場合、反射面１２ｂで内面反射され、出射面１２ｄに向かって進行する反射光ＲａｙＢが増加し、出射面１２ｄが取り込む光（反射面１２ｂで内面反射された反射光）が増加する。その結果、反射面１２ｂを水平方向に配置する場合と比べ、迷光の減少・高効率化を達成することができる。
【００７５】
本出願の発明者らが行ったシミュレーションでは、反射面１２ｂを第１基準軸ＡＸ１に対して５°傾けて配置した場合、効率が３３．８％増加し、１０°傾けて配置した場合、効率が６０％増加した。
【００７６】
第２の利点は、反射面１２ｂを水平方向に配置する場合と比べ、レンズ体１２の小型化を達成することができる点である。
【００７７】
すなわち、図１３（ａ）に示すように、反射面１２ｂを水平方向に配置した場合、反射面１２ｂで内面反射された反射光ＲａｙＢ´は、出射面１２ｄに入射しない方向に進行する迷光ＲａｙＢ´となる。出射面１２ｄは、これを図１４（ａ）に示すように上方に延ばすことで迷光ＲａｙＢ´を取り込むことができるが、上方に延ばす分、出射面１２ｄが大型化する。
【００７８】
これに対して、図１４（ｂ）に示すように、反射面１２ｂを第１基準軸ＡＸ１に対して傾けて配置した場合、出射面１２ｄは、これを上方に延ばすことなくより多くの光（反射面１２ｂで内面反射された反射光ＲａｙＢ）を取り込むことができる。その結果、反射面１２ｂを水平方向に配置する場合と比べ、出射面１２ｄ（ひいてはレンズ体１２）の小型化を達成することができる。
【００７９】
本出願の発明者らが行ったシミュレーションでは、反射面１２ｂを第１基準軸ＡＸ１に対して５°傾けて配置した場合、図１４（ｂ）に示す高さＡ（出射面１２ｄから出射する光の鉛直方向の高さ）が、図１４（ａ）に示す場合と比べ８％減少し、１０°傾けて配置した場合、図１４（ｂ）に示す高さＡが、図１４（ａ）に示す場合と比べ１８．１％減少した。
【００８０】
次に、第２基準軸ＡＸ２を第１基準軸ＡＸ１に対して傾けて配置し、レンズ体１２内部に入射した光源１４からの光を、少なくとも鉛直方向に関し、シェード１２ｃに向かって第２基準軸ＡＸ２寄りに集光させることの利点について、第２基準軸ＡＸ２を水平方向に配置し、レンズ体１２内部に入射した光源１４からの光を、少なくとも鉛直方向に関し、シェード１２ｃに向かって第２基準軸ＡＸ２寄りに集光させる場合と対比して説明する。
【００８１】
この利点は、第２基準軸ＡＸ２を水平方向に配置し、レンズ体１２内部に入射した光源１４からの光を、少なくとも鉛直方向に関し、シェード１２ｃに向かって第２基準軸ＡＸ２寄りに集光させる場合と比べ、迷光の減少・高効率化を達成することができる点である。
【００８２】
すなわち、図１５（ａ）に示すように、第２基準軸ＡＸ２を水平方向に配置し、レンズ体１２内部に入射した光源１４からの光を、少なくとも鉛直方向に関し、シェード１２ｃに向かって第２基準軸ＡＸ２寄りに集光させた場合、レンズ体１２内部に入射した光源１４からの光の多くがシェード１２ｃで遮光される。その結果、効率が大幅に低下する。また、図１５（ａ）において、反射面１２ｂに相当する反射面を追加したとしてもと、当該反射面で内面反射された反射光が、出射面１２ｄに入射しない方向に進行する迷光となる。
【００８３】
これに対して、図１５（ｂ）に示すように、第２基準軸ＡＸ２を第１基準軸ＡＸ１に対して傾けて配置し、レンズ体１２内部に入射した光源１４からの光を、少なくとも鉛直方向に関し、シェード１２ｃに向かって第２基準軸ＡＸ２寄りに集光させた場合、出射面１２ｄが取り込む光（反射面１２ｂで内面反射された反射光ＲａｙＢ）が増加する。その結果、第２基準軸ＡＸ２を水平方向に配置し、レンズ体１２内部に入射した光源１４からの光を、少なくとも鉛直方向に関し、シェード１２ｃに向かって第２基準軸ＡＸ２寄りに集光させる場合と比べ、迷光の減少・高効率化を達成することができる。
【００８４】
以上説明したように、本実施形態によれば、第１に、コストアップの要因となる金属蒸着による反射面を省略したレンズ体１２及びこれを用いた車両用灯具１０を提供することができる。第２に、光源１４で発生した熱に起因して、レンズ体１２が融解したり、光源１４出力が低下するのを抑制することができるレンズ体１２及びこれを用いた車両用灯具１０を提供することができる。
【００８５】
コストアップの要因となる金属蒸着による反射面を省略することができるのは、光源１４からの光が、金属蒸着による反射面ではなく、入射面１２ａでの屈折及び反射面１２ｂでの内面反射により制御されることによるものである。
【００８６】
光源１４で発生した熱に起因して、レンズ体１２が融解したり、光源１４出力が低下するのを抑制することができるのは、入射面１２ａがレンズ体１２の後端部に形成されており、かつ、光源１４がレンズ体１２の外部（すなわち、レンズ体１２の入射面１２ａから離間した位置）に配置されることによるものである。
【００８７】
上記実施形態及び各変形例で示した各数値は全て例示であり、これと異なる適宜の数値を用いることができる。
【００８８】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【００８９】
１０…車両用灯具、１２…レンズ体、１２ａ…入射面、１２ｂ…反射面、１２ｃ…シェード、１２ｃ…シェード、１２ｄ…出射面、１４…光源、ＡＸ１４…光軸
【図１】
2015176745.tif 000003
【図２】
2015176745.tif 000004
【図３】
2015176745.tif 000005
【図４】
2015176745.tif 000006
【図５】
2015176745.tif 000007
【図６】
2015176745.tif 000008
【図７】
2015176745.tif 000009
【図８】
2015176745.tif 000010
【図９】
2015176745.tif 000011
【図１０】
2015176745.tif 000012
【図１２】
2015176745.tif 000013
【図１３】
2015176745.tif 000014
【図１４】
2015176745.tif 000015
【図１５】
2015176745.tif 000016
【図１６】
2015176745.tif 000017
【図１１】
2015176745.tif 000018